(57)【特許請求の範囲】
【請求項１】
ヘッドケーシングの先端部に一対のリップを取り付けて該リップ間のスリットを通して供給される塗工液を、バッキングロールに巻掛けられて走行する原紙の表面に噴射して塗布するようにしてある塗工液噴射ヘッドのヘッドケーシングの外側面に、粘着樹脂製シートを貼り付け、該粘着樹脂製シートのリップ先端側端部に対して外側から重なるように、リップ先端部の外側面の全長に亘り粘着樹脂製シートを貼り付けて、交換可能な汚れ防止皮膜をヘッドケーシングの外側面とリップ先端部の外側面に形成したことを特徴とする塗工液噴射ヘッドの汚れ防止装置。
【発明の詳細な説明】
【０００１】
【発明の属する技術分野】
本発明は製紙工場において製造される紙を原紙としてその表面に塗工液を塗布する塗工装置としてのブレードコータやロッドコータで用いる塗工液噴射ヘッドの汚れ防止装置に関するものである。
【０００２】
【従来の技術】
製紙工場で製造された紙はそのままの形で直ちに使用されることはなく、それを原紙として更に加工を施すことにより所望の目的に適合する製品としての加工紙とする場合が多い。加工紙には種々のものがあるが、その一つに塗被加工紙がある。塗被加工紙は、紙の表面に塗工液（塗工用カラー）を塗布させて製造するものであり、そのための装置として塗工装置が用いられている。
【０００３】
かかる塗工装置の一つとしては、図３にその一例の概略を示す如きブレードコータがある。該ブレードコータは、原紙１を巻掛けて走行させるようにしてあるバッキングロール２の下側近傍位置に、バッキングロール２の長手方向と平行に延びるようにしたファウンテンと称する塗工液噴射ヘッド３を設け、且つ上記塗工液噴射ヘッド３よりもバッキングロール２の回転方向下流側位置に、該塗工液噴射ヘッド３から上記原紙１の表面に塗布された塗工液４の余剰分を掻き取るブレード５を、原紙１の表面と接するように配置して、先ず、塗工液噴射ヘッド３から原紙１の表面へ向けて塗工液４を噴射供給して、原紙１の表面に幅方向に一様に塗工液４を塗布し、しかる後、原紙１に塗布された塗工液４の余剰分をブレード５にて掻き取ることにより、原紙１の表面に所要厚さの塗工液膜を均一に形成させるようにしている。
【０００４】
上記ブレードコータで用いられている塗工液噴射ヘッド３は、図４にその一例を拡大して示す如く、先端側を合掌形状に形成したヘッドケーシング６内に、ポンプによって送給された塗工液４を幅方向に一様に分配するようにした液溜め７を設け、且つ該液溜め７から先端側（上方）へ延びるように形成した塗工液流出路８に、一対のリップ９を所要間隔で平行に取り付けて、上記塗工液流出路８と連続するスリット１０を形成し、上記液溜め７から塗工液流出路８及びリップ９間のスリット１０を通して塗工液４を噴射供給できるようにしてある。
【０００５】
上記塗工液噴射ヘッド３では、噴射供給時に飛散した塗工液４やブレード５により掻き落とされた塗工液４がヘッド周りに汚れとして付着すると、清掃しなければならないが、その清掃作業は大変であるので、従来では、ヘッドケーシング６の外側面に水冷ジャケット１１を設け、この水冷ジャケット１１内に、冷凍機によって冷却された冷水を流通させるようにして水冷ジャケット１１の表面を結露させるようにすることにより、汚れを堆積させないようにする対策が施されている。又、水冷ジャケット１１に通水するだけでは効果が不足するようなときには、ジャケット１１の表面に蒸気ノズルにより蒸気を吹き付けるようにすることもある。
【０００６】
【発明が解決しようとする課題】
ところが、水冷ジャケット１１による汚れ防止対策の場合、上記したように、結露発生の条件作りのために、蒸気を吹き付けるようにしているが、塗工液噴射ヘッド３の幅が長い場合、両端部と中央部で結露状態が一定とはならず、又、四季により条件を変更させる等、結露を適正に発生させる作業が難しいと共に、冷凍機や蒸気発生装置が必要となることから、設備費が高価になる問題がある。更に、ヘッドケーシング６と水冷ジャケット１１との間の隙間に塗工液４が入り込んで固化すると、メンテナンスに多大な労力を要する問題がある。
【０００７】
そこで、本発明は、従来のヘッド周りへの塗工液の付着を防止して汚れ防止を図るようにすることに代えて、ヘッド周りの塗工液による汚れに伴うメンテナンス時間を大幅に短縮することができるようにしようとするものである。
【０００８】
【課題を解決するための手段】
本発明は、上記課題を解決するために、ヘッドケーシングの先端部に一対のリップを取り付けて該リップ間のスリットを通して供給される塗工液を、バッキングロールに巻掛けられて走行する原紙の表面に噴射して塗布するようにしてある塗工液噴射ヘッドのヘッドケーシングの外側面に、粘着樹脂製シートを貼り付け、該粘着樹脂製シートのリップ先端側端部に対して外側から重なるように、リップ先端部の外側面の全長に亘り粘着樹脂製シートを貼り付けて、交換可能な汚れ防止皮膜をヘッドケーシングの外側面とリップ先端部の外側面に形成した構成とする。
【０００９】
ヘッド周りの塗工液による汚れは粘着樹脂製シートの表面に付着することになるので、該粘着樹脂製シートを剥して新しいものと交換することで、ヘッドケーシング外側面の汚れの防止を簡単に実施することができる。
【００１０】
又、ヘッドケーシングの外側面に貼り付けた粘着樹脂製シートのリップ先端側端部に対して外側から重なるように、リップ先端部の外側面の全長に亘り粘着樹脂製シートを貼り付けた構成としてあるので、リップ先端部を含めた汚れ防止対策を行うことができる。
【００１１】
【発明の実施の形態】
以下、本発明の実施の形態を図面を参照して説明する。
【００１２】
図１は本発明の実施の一形態を示すもので、図４に示したと同様な構成としてある塗工液噴射ヘッド３において、ヘッドケーシング６の外側面に水冷ジャケット１１を設けて、ヘッドケーシング６の外側面に汚れが堆積しないようにすることに代えて、ヘッドケーシング６の外側面に汚れが堆積しても、簡単に汚れ防止ができるようにする。すなわち、粘着樹脂製シート１２を、ヘッドケーシング６の外側面の全長に亘り全面的に貼り付けて、交換可能な汚れ防止皮膜を形成した構成とする。
【００１３】
上記構成としてあるため、塗工液噴射ヘッド３からの噴射供給により飛散した塗工液４やブレード５（図３参照）により掻き落された塗工液４がヘッドケーシング６の外側面に付着する場合、塗工液４は、ヘッドケーシング６の外側面を覆う粘着樹脂製シート１２の表面に主として付着することになる。上記粘着樹脂製シート１２は交換可能で簡単に剥すことができるので、塗工液４の付着状態に応じて交換するようにする。この場合、粘着樹脂製シート１２を剥すことでヘッド周りの汚れを簡単に落すことができ、又、新しい粘着樹脂製シート１２を貼り付けることで、汚れ防止対策が完了するので、メンテナンス時間を従来より大幅に短縮することができる。更に、従来のような水冷ジャケット１１の採用に伴う冷凍機や蒸気発生装置は不要であることから、設備費が高価になることもない。
【００１４】
上記において、リップ９の先端部を図示の如き形状とすることにより、該先端部に付着した塗工液４がリップ９から切り離され易くなって、リップ９の先端部に汚れが付着しにくいものとすることができる。
【００１５】
次に、図２は本発明の実施の他の形態を示すもので、図１に示したと同様な構成において、リップ９の先端部の外側面に、ヘッドケーシング６の外側面に貼り付けた粘着樹脂製シート１２の上端部に対して上から重なるように、粘着樹脂製シート１３を全長に亘り貼り付けた構成を付加したものである。
【００１６】
図２に示すようにすると、リップ９の先端部外側面への塗工液の付着を防止することができると共に、リップ９の先端部とヘッドケーシング６の上端部との間に形成される段差部分への塗工液４の付着及び粘着樹脂製シート１２の接着面への塗工液の入り込みを防ぐことができ、ヘッド周りの汚れ防止対策をより確実なものとすることができる。
【００１７】
なお、上記実施の形態で示した粘着樹脂製シート１２，１３としては、シート基材の片面に粘着加工が施されているものであればあらゆるものを使用することができ、特に、ヘッドケーシング６の外側面に貼り付ける粘着樹脂製シート１２としては、上記の他、液状粘着剤を塗り付けて固化することにより皮膜が形成されるようにしたものであってもよいこと、又、実施の形態では、ブレードコータで用いる塗工液噴射ヘッド３への採用例について示したが、ロッドコータで用いる塗工液噴射ヘッドについても同様に採用できること、その他本発明の要旨を逸脱しない範囲内において種々変更を加え得ることは勿論である。
【００１８】
【発明の効果】
以上述べた如く、本発明の塗工液噴射ヘッドの汚れ防止装置によれば、ヘッドケーシングの先端部に一対のリップを取り付けて該リップ間のスリットを通して供給される塗工液を、バッキングロールに巻掛けられて走行する原紙の表面に噴射して塗布するようにしてある塗工液噴射ヘッドのヘッドケーシングの外側面に、粘着樹脂製シートを貼り付け、該粘着樹脂製シートのリップ先端側端部に対して外側から重なるように、リップ先端部の外側面の全長に亘り粘着樹脂製シートを貼り付けて、交換可能な汚れ防止皮膜をヘッドケーシングの外側面とリップ先端部の外側面に形成した構成としてあるので、粘着樹脂製シートを剥すことで、ヘッド周りの塗工液汚れを簡単に落すことができ、メンテナンス時間を大幅に短縮することができる。又、ヘッドケーシングの外側面に貼り付けた粘着樹脂製シートのリップ先端側端部に対して外側から重なるように、リップ先端部の外側面の全長に亘り粘着樹脂製シートを貼り付けた構成としてあるので、ヘッド周りの汚れ防止対策をより確実なものとすることができる、という優れた効果を発揮する。
【図面の簡単な説明】
【図１】本発明の塗工液噴射ヘッドの汚れ防止装置の実施の一形態を示す概要図である。
【図２】本発明の実施の他の形態を示す概要図である。
【図３】ブレードコータの一例を示す概略図である。
【図４】従来の塗工液噴射ヘッドの一例を示す概要図である。
【符号の説明】
１  原紙
２  バッキングロール
３  塗工液噴射ヘッド
４  塗工液
６  ヘッドケーシング
９  リップ
１０  スリット
１２，１３  粘着樹脂製シート
【図１】
0004506015.tif 000002
【図２】
0004506015.tif 000003
【図３】
0004506015.tif 000004
【図４】
0004506015.tif 000005